(57)【要約】【課題】建築用パネルの引き込み時の安定的な保持と、作業後の建築用パネルからの容易な取り外しを両立する。【解決手段】建築用パネルを引き込むためのパネル引込治具１は、第１治具１０と、第２治具２０と、第１治具１０と第２治具２０を連結する紐３１、紐３２と、を備える。  第１治具１０は、建築用パネルに吸着する磁石１１と、磁石１１が取り付けられる取付部１２と、作業者が把持可能な把持部１３と、を具備するハンドル１５と、を有する。  第２治具２０は、建築用パネルに吸着する磁石２１と、磁石２１が取り付けられる取付部２２と、作業者が把持可能な把持部２３と、を具備するハンドル２５と、を有する。  紐３１と紐３２は、把持部１３に形成された貫通孔と、把持部２３に形成された貫通孔とに共に挿通され、第１治具１０と第２治具２０を分離可能に連結する。【選択図】図６
2018053688.tif 000002
【特許請求の範囲】
【請求項１】
建築用パネルを引き込むためのパネル引込治具であって、
第１の治具と、第２の治具と、前記第１の治具と前記第２の治具を連結する線状部材と、を備え、
前記第１の治具は、
前記建築用パネルに吸着する第１の吸着部と、
前記第１の吸着部が取り付けられる第１の取付部と、作業者が把持可能な第１の把持部と、を具備する第１のハンドルと、を有し、
前記第２の治具は、
前記建築用パネルに吸着する第２の吸着部と、
前記第２の吸着部が取り付けられる第２の取付部と、作業者が把持可能な第２の把持部と、を具備する第２のハンドルと、を有し、
前記線状部材は、前記第１の把持部に形成された第１の貫通孔と、前記第２の把持部に形成された第２の貫通孔とに共に挿通され、前記第１の治具と前記第２の治具を分離可能に連結することを特徴とするパネル引込治具。
【請求項２】
前記線状部材は、前記第１の貫通孔と前記第２の貫通孔との間において交差した状態で、端部が結ばれていることを特徴とする請求項１に記載のパネル引込治具。
【請求項３】
前記第１の貫通孔は、前記第１の把持部において、前記第１の取付部に近い側に設けられた第１の内側貫通孔と、前記第１の取付部に遠い側に設けられた第１の外側貫通孔とを含み、
前記第２の貫通孔は、前記第２の把持部において、前記第２の取付部に近い側に設けられた第２の内側貫通孔と、前記第２の取付部に遠い側に設けられた第２の外側貫通孔とを含み、
前記第１の把持部と前記第２の把持部が重ね合わされた状態で、前記第１の内側貫通孔と前記第２の外側貫通孔が対向する位置にあるとともに、前記第１の外側貫通孔と前記第２の内側貫通孔が対向する位置にあり、
前記線状部材は、第１の線状部材と、第２の線状部材とを含み、
前記第１の線状部材は、前記第１の内側貫通孔と、前記第２の外側貫通孔とに共に挿通され、前記第１の内側貫通孔と前記第２の外側貫通孔との間において交差した状態で、端部が結ばれており、
前記第２の線状部材は、前記第１の外側貫通孔と、前記第２の内側貫通孔とに共に挿通され、前記第１の外側貫通孔と前記第２の内側貫通孔との間において交差した状態で、端部が結ばれていることを特徴とする請求項１又は２に記載のパネル引込治具。
【請求項４】
前記第１の取付部は、前記第１の吸着部と前記第１のハンドルを回動可能に接続する第１の軸部を有し、
前記第２の取付部は、前記第２の吸着部と前記第２のハンドルを回動可能に接続する第２の軸部を有することを特徴とする請求項１乃至３のいずれかに記載のパネル引込治具。
【請求項５】
前記第１の吸着部と前記第２の吸着部は共に永久磁石であることを特徴とする請求項１乃至４のいずれかに記載のパネル引込治具。
【請求項６】
前記建築用パネルに前記第１の吸着部と前記第２の吸着部が共に吸着した状態において、前記第１の把持部の下面と、前記第２の把持部の上面が当接することを特徴とする請求項１乃至５のいずれかに記載のパネル引込治具。
【発明の詳細な説明】
【技術分野】
【０００１】
本発明は、建築用パネルを引き込む際に用いるパネル引込治具に関する。
【背景技術】
【０００２】
住宅の外壁パネル（建築用パネルの一例）を建築物本体に組み付けるためには、まず吊り上げられた外壁パネルを建築物本体に向かって引き込む必要がある。そして、引き込んだ外壁パネルの下端を建築物本体に対してボルト締結した後、更に外壁パネルの上端を建築物本体に対してボルト締結することで組み付け作業を行う。
【０００３】
上記のような外壁パネルを建築物側に引き込む作業は、外壁パネルよりも建物側にいる作業者と、外壁パネルよりも外側にいる作業者の２名によって通常行われている。
しかしながら、作業者が２名必要であって作業効率が悪い、また狭小地の場合には足場を設置することができず作業者が屋外側に立てない等の問題点から、特許文献１、２のような建築用パネル引込具が提案されている。
【０００４】
特許文献１に記載のパネル引き寄せ具は、建築用パネルに引っ掛けるための短腕ピックと、作業者の持ち手部分となる長腕ピックとを備えており、長腕ピックが短腕ピックに対してリンク及びユニバーサルジョイントを介して２軸回転可能となるように取り付けられている。
上記のパネル引き寄せ具を用いることで、作業者１名によって建築用パネルを建築物本体に向かって引き寄せることを可能としている。
【０００５】
また特許文献２に記載のパネル位置調整用治具は、外壁パネル内面の開口部に引っ掛けるためのパネル位置調整治具と、パネル位置調整治具を引き寄せるための引き寄せ装置と、を備えている。
上記のパネル位置調整用治具を用いることによっても、作業者１名で建築用パネルを建築物本体に向かって引き寄せることを可能としている。
【０００６】
ただし、特許文献１、２のようなパネル引込具では、外壁パネル等の建築用パネルを保持して引き込むために、パネル引込具の先端を当該パネルの裏面に引っ掛ける必要があった。
そのため、建築用パネルの裏面に引っ掛ける部分が存在しないと建築用パネルを安定して引き込むことができず、また建築用パネルを傷つけてしまう虞があった。
【０００７】
そこで、特許文献３に記載のように、パネルの保持に磁石を用いることで、建築パネルの損傷を抑制することも考えられる。
【先行技術文献】
【特許文献】
【０００８】
【特許文献１】実開平３−５２０７９号公報
【特許文献２】特開平９−１９５５１４号公報
【特許文献３】特開２００１−４０８７８号公報
【発明の概要】
【発明が解決しようとする課題】
【０００９】
しかしながら、上記の従来技術のように、引き込み時に外壁パネルを一点で保持していると、パネルの引き込み作業中に外壁パネルの保持が外れる可能性があった。
これに対し、パネル引込治具に複数の磁石を設けて、パネル引込治具の吸着力を高めて外壁パネルの保持を安定させることも考えられるが、パネル引込具の吸着力が強くなると、作業終了後にパネル引込具を外壁パネルから引き剥がすことが困難となり、作業性が悪化してしまう。
【００１０】
本発明は上記の課題に鑑みてなされたものであって、その目的は、建築用パネルの引き込み時の安定的な保持と、作業後の建築用パネルからの容易な取り外しを両立させたパネル引込治具を提供することにある。
【課題を解決するための手段】
【００１１】
前記課題は、本発明に係るパネル引込治具によれば、建築用パネルを引き込むためのパネル引込治具であって、第１の治具と、第２の治具と、前記第１の治具と前記第２の治具を連結する線状部材と、を備え、前記第１の治具は、前記建築用パネルに吸着する第１の吸着部と、前記第１の吸着部が取り付けられる第１の取付部と、作業者が把持可能な第１の把持部と、を具備する第１のハンドルと、を有し、前記第２の治具は、前記建築用パネルに吸着する第２の吸着部と、前記第２の吸着部が取り付けられる第２の取付部と、作業者が把持可能な第２の把持部と、を具備する第２のハンドルと、を有し、前記線状部材は、前記第１の把持部に形成された第１の貫通孔と、前記第２の把持部に形成された第２の貫通孔とに共に挿通され、前記第１の治具と前記第２の治具を分離可能に連結することにより解決される。
【発明の効果】
【００１２】
本発明に係るパネル引込治具によれば、建築用パネルの引き込み時の安定的な保持と、作業後の建築用パネルからの容易な取り外しを両立できる。
【図面の簡単な説明】
【００１３】
【図１】本実施形態に係るパネル引込治具を構成する第１治具と第２治具の平面図である。
【図２】第１治具と第２治具の正面図である。
【図３】第１治具と第２治具の底面図である。
【図４】第１治具と第２治具を連結する紐の通し方を説明する図である。
【図５】第１治具と第２治具の一方の貫通孔を紐により連結した状態を示す図である。
【図６】第１治具と第２治具の両方の貫通孔を紐により連結した状態を示す図である。
【図７】第１治具と第２治具を連結する紐の交差状態を説明する図である。
【図８】建築用パネルにパネル引込治具を取り付けた状態を示す図である。
【図９】建築用パネルからパネル引込治具を取り外す工程を説明する図である。
【図１０】建築用パネルからパネル引込治具を取り外す工程を説明する図である。
【図１１】建築用パネルからパネル引込治具を取り外す工程を説明する図である。
【図１２】建築用パネルからパネル引込治具を取り外す工程を説明する図である。
【発明を実施するための形態】
【００１４】
以下、図１乃至図１２に基づき、本発明の一実施形態（以下、本実施形態）に係るパネル引込治具１について説明する。
ここでパネル引込治具１とは、建築現場においてクレーンで吊り上げられた外壁パネル等の建築用パネルを、建築物本体に組み付けるために、建築用パネルを建築物本体に向かって引き込む際に用いられる治具である。
換言すれば、パネル引込治具１は、建築用パネルの裏面に対して着脱可能に取り付けられるものであって、屋内側にいる作業者が建築用パネルを建築物本体に向かって引き込む作業を補助するための治具である。
なお、以下に説明する実施形態は、本発明の理解を容易にするためのものであり、本発明を限定するものではない。すなわち、本発明は、その趣旨を逸脱することなく、変更、改良され得るとともに、本発明にはその等価物が含まれることは勿論である。
【００１５】
まず、図１乃至図７を参照しながら、パネル引込治具１の構成について説明する。その後、図８乃至図１２を参照しながら、パネル引込治具１の使用方法について説明する。
ここで、各図の概要は以下の通りである。
【００１６】
図１、図２、図３はそれぞれ、本実施形態に係るパネル引込治具１を構成する第１治具１０と第２治具２０の平面図、正面図、底面図である。
【００１７】
図４は、第１治具１０と第２治具２０を連結する紐３１の通し方を説明する図である。
図５は、第１治具１０と第２治具２０の一方の貫通孔を紐３１により連結した状態を示す図である。
図６は、第１治具１０と第２治具２０の両方の貫通孔を紐３１、紐３２により連結した状態を示す図である。
図７は、第１治具１０と第２治具２０を連結する紐３１、紐３２の交差状態を説明する図である。
【００１８】
図８は、建築用パネルＰにパネル引込治具１を取り付けた状態を示す図である。すなわち、建築用パネルＰの引き込み作業時におけるパネル引込治具１の取り付け態様を示す図である。
図９〜図１２は、建築用パネルＰからパネル引込治具１を取り外す工程を順番に説明する図である。
【００１９】
［パネル引込治具１の構成］
図６に示されるように、本実施形態に係るパネル引込治具１は、第１治具１０と、第２治具２０と、第１治具１０と第２治具２０を連結する紐３１及び紐３２を備える。
【００２０】
［第１治具１０の構成］
まず、図１〜図３に基づいて第１治具１０の構成について説明する。
図１〜図３に示されるように、第１治具１０は、磁石１１と、磁石１１が取り付けられるハンドル１５とから構成される。
ハンドル１５は、磁石１１が取り付けられる部分である取付部１２、作業者が把持可能な把持部１３、取付部１２と把持部１３を接続する接続部１４を有する薄板状の部材である。ハンドル１５は、金属製、樹脂製、木製等としてよい。
【００２１】
磁石１１は、円盤型の永久磁石であるが、形状は特に限定されるものではない。図３に示されるように、磁石１１の吸着面（すなわち建築用パネルＰに当接する面）の中心部には凹部が形成される。そして、磁石１１の凹部に、ハンドル１５の取付部１２と、磁石１１とを貫く軸部１２Ａが通されて、軸部１２Ａの端部が締結具１２Ｂにより締結される。こうすることで、磁石１１に対して、ハンドル１５が軸部１２Ａ周りに回動可能に取り付けられる。
【００２２】
図２に示されるように、取付部１２及び把持部１３は、軸部１２Ａと直交するように延出している。換言すれば、取付部１２と把持部１３は、軸部１２Ａの軸方向を法線とする面となっている。
以下において、取付部１２の延出方向を水平方向、軸部１２Ａに沿った方向を垂直方向とする。また、磁石１１に対して取付部１２がある側を上方とする。
【００２３】
図２に示されるように、ハンドル１５は、取付部１２に対して把持部１３が上方に位置する段差構造をなしており、取付部１２と把持部１３を接続する接続部１４は傾斜している。
【００２４】
把持部１３には、磁石１１に近い側の端部と、磁石１１に遠い側の端部にそれぞれ内側貫通孔１３Ａ、外側貫通孔１３Ｂが形成される。なお、内側貫通孔１３Ａ及び外側貫通孔１３Ｂの径は、紐３１、紐３２の径（太さ）よりも大きくすることが好適である。
【００２５】
［第２治具２０の構成］
次に、第２治具２０について説明する。図１〜図３に示されるように、第２治具２０は、磁石２１と、磁石２１が取り付けられるハンドル２５とから構成される。
ハンドル２５は、磁石２１が取り付けられる部分である取付部２２、作業者が把持可能な把持部２３、取付部２２と把持部２３を接続する接続部２４を有する薄板状の部材である。ハンドル２５は、金属製、樹脂製、木製等としてよい。
【００２６】
磁石２１は、円盤型の永久磁石であるが、形状は特に限定されるものではない。図３に示されるように、磁石２１の吸着面（すなわち建築用パネルＰに当接する面）の中心部には凹部が形成される。そして、磁石２１の凹部に、ハンドル２５の取付部２２と、磁石２１とを貫く軸部２２Ａが通されて、軸部２２Ａの端部が締結具２２Ｂにより締結される。こうすることで、磁石２１に対してハンドル２５が軸部１２Ａ周りに回動可能に取り付けられる。
【００２７】
図２に示されるように、取付部２２及び把持部２３は、軸部２２Ａと直交するように延出している。換言すれば、取付部２２と把持部２３は、軸部２２Ａの軸方向を法線とする面となっている。
【００２８】
図２に示されるように、ハンドル２５は、取付部２２に対して把持部２３が上方に位置する段差構造をなしており、取付部２２と把持部２３を接続する接続部２４は傾斜している。
ここで、第１治具１０における磁石１１から把持部１３までの高さ（上下の距離）と、第２治具２０における磁石２１から把持部２３までの高さ（上下の距離）とは略同一である。
例えば、第１治具１０における磁石１１から把持部１３までの高さと、第２治具２０における磁石２１から把持部２３までの高さに、把持部１３又は把持部２３の厚み程度の差を設けても構わない。
これにより、磁石１１と磁石２１が建築用パネルＰに吸着した状態で、把持部１３と把持部２３が干渉せずに上下に重なるような配置が可能となる。すなわち、磁石１１と磁石２１が建築用パネルＰに吸着した状態において、把持部１３の下面（又は上面）と、把持部２３の上面（又は下面）が当接するようになる。
【００２９】
図１及び図３に示されるように、把持部２３には、磁石２１に近い側の端部と、磁石２１に遠い側の端部にそれぞれ内側貫通孔２３Ａ、外側貫通孔２３Ｂが形成される。なお、内側貫通孔２３Ａ及び外側貫通孔２３Ｂの径は、紐３１、紐３２の径（太さ）よりも大きくすることが好適である。
【００３０】
なお、把持部１３と把持部２３とを上下に重ねて対向配置した際に、内側貫通孔１３Ａと外側貫通孔２３Ｂが上下に対向し、更に外側貫通孔１３Ｂと内側貫通孔２３Ａが上下に対向する。すなわち、内側貫通孔１３Ａと外側貫通孔１３Ｂとの距離と、内側貫通孔２３Ａと外側貫通孔２３Ｂとの距離は略同一となっている。
【００３１】
［第１治具１０と第２治具２０の連結構造］
次に、図４乃至図７に基づいて、第１治具１０と第２治具２０との連結構造について説明する。図４乃至図７に示されるように、第１治具１０と第２治具２０とは紐３１及び紐３２を用いて分離可能に連結される。
ここで、分離可能に連結されるとは、第１治具１０と第２治具２０の位置関係が固定されておらず、第１治具１０と第２治具２０が、紐３１と紐３２による束縛の範囲内で、互いの位置関係を変更可能なことをいう。なお、第１治具１０と第２治具２０が分離した状態とは、第１治具１０と第２治具２０が離間した状態、すなわち第１治具１０と第２治具２０とが非接触の状態をいう。
【００３２】
ここで、第１治具１０と第２治具２０を連結する紐３１の通し方について、図４に基づいて説明する。
図４に示されるように、第１治具１０の把持部１３と、第２治具２０の把持部２３が上下に重なる位置に配置した状態で、紐３１の端部を把持部１３の内側貫通孔１３Ａ、把持部２３の外側貫通孔２３Ｂに順に通した後に、内側貫通孔１３Ａと外側貫通孔２３Ｂに通された紐３１と交差させる。以下では、紐３１の交差部分を交差部３１Ａと称する。
そして、図５に示されるように、紐３１の両端を結び、結び目３１Ｂを作る。
【００３３】
同様に、第１治具１０の把持部１３と、第２治具２０の把持部２３が上下に重なる位置に配置した状態で、紐３２の端部を把持部１３の外側貫通孔１３Ｂ、把持部２３の内側貫通孔２３Ａに順に通した後に、外側貫通孔１３Ｂと内側貫通孔２３Ａに通された紐３１と交差させる。以下では、紐３２の交差部分を交差部３２Ａと称する。
そして、上記の状態で紐３２の両端を結び、結び目３２Ｂを作る。
【００３４】
こうして、第１治具１０と第２治具２０とを紐３１と紐３２により連結した状態を図６及び図７に示す。
図７に示されるように、紐３１は、内側貫通孔１３Ａと、外側貫通孔２３Ｂとに共に挿通され、内側貫通孔１３Ａと、外側貫通孔２３Ｂとの間において交差部３１Ａを形成した状態で、端部に結び目３１Ｂが形成されている。
同様に、紐３２は、外側貫通孔１３Ｂと、内側貫通孔２３Ａとに共に挿通され、外側貫通孔１３Ｂと、内側貫通孔２３Ａとの間において交差部３２Ａを形成した状態で、端部に結び目３２Ｂが形成されている。
【００３５】
［パネル引込治具１の使用方法の説明］
次に、図８乃至図１２に基づいて、パネル引込治具１の使用方法について説明する。
【００３６】
図８には、パネル引込治具１を建築用パネルＰに取り付けた状態を示した。図８に示されるように、第１治具１０の把持部１３と、第２治具２０の把持部２３が重ね合わされた状態で、磁石１１と磁石２１が建築用パネルＰに吸着し、第１治具１０と第２治具２０が建築用パネルＰに対して固定されている。
【００３７】
ここで、作業者は、把持部１３と把持部２３の重ね合わされた箇所を把持して手前側に引っ張ることで、建築用パネルＰの引き込みを行うことができる。
【００３８】
次に、図９乃至図１２を参照しながら、建築用パネルＰの引き込み後に、建築用パネルＰからパネル引込治具１を取り外す作業について説明する。
【００３９】
図９に示されるように、作業者は、パネル引込治具１から出ている紐３１、紐３２を左手、右手でそれぞれ掴む。
【００４０】
次に、図１０に示されるように、作業者は、左手で掴んでいる紐３１を手前側に引っ張る。これにより、ハンドル２５の後端部（外側貫通孔２３Ｂの近傍）と、ハンドル１５の中央部分（内側貫通孔１３Ａの近傍）が持ち上げられる。ここで、紐３１の交差部３１Ａを設けたことにより、紐３１を手前側に引っ張った際に、ハンドル２５の後端部と、ハンドル１５の中央部分が絞られるため、第１治具１０と第２治具２０の位置ずれが規制されるとともに、第１治具１０を持ち上げる力が働くようになる。
これにより、磁石１１が徐々に持ち上げられて、磁石１１の建築用パネルＰに密着する面積が減じられ、磁石１１の建築用パネルＰへの吸着力が弱まる。
【００４１】
次に、図１１に示されるように、作業者は、右手で掴んでいる紐３２を手前側に引っ張る。これにより、ハンドル１５の後端部（外側貫通孔１３Ｂの近傍）と、ハンドル２５の中央部分（内側貫通孔２３Ａの近傍）が持ち上げられる。ここで、紐３２の交差部３２Ａを設けたことにより、紐３２を手前側に引っ張った際に、ハンドル２５の中央部分と、ハンドル１５の後端部が絞られるため、第１治具１０と第２治具２０の位置ずれが規制されるとともに、第２治具２０を持ち上げる力が働くようになる。
これにより、磁石２１が徐々に持ち上げられて、磁石２１の建築用パネルＰに密着する面積が減じられ、磁石２１の建築用パネルＰへの吸着力が弱まる。
【００４２】
最後に、図１２に示されるように、左手で掴んでいる紐３１と右手で掴んでいる紐３２の両方を手前側に引っ張ることで、パネル引込治具１を建築用パネルＰから取り外すことができる。
【００４３】
このように、パネル引込治具１では、第１治具１０の磁石１１と、第２治具２０の磁石２１の二点で建築用パネルＰに吸着しているため、パネル引込治具１が建築用パネルＰに強く固定されており、建築用パネルＰの引き込み時の安定性を向上させることができる。
そして、パネル引込治具１を建築用パネルＰから取り外す際には、紐３１と紐３２を順に引っ張ることで、第１治具１０の磁石１１と第２治具２０の磁石２１の吸着を順に弱めることができるため、建築用パネルＰからの取り外しを容易とすることができる。
【００４４】
なお、上記の実施形態においては、図７に示すように、紐３１に交差部３１Ａを、紐３２に交差部３２Ａを設けて第１治具１０と第２治具２０を連結したことにより、第１治具１０と第２治具２０を建築用パネルＰから外す際に、第１治具１０と第２治具２０のずれを規制し、建築用パネルＰからの取り外しを容易とすることができる。
一方で、紐３１と紐３２にそれぞれ交差部３１Ａと交差部３２Ａを設けずに（紐３１と紐３２をそれぞれ交差させずに）、第１治具１０と第２治具２０とを連結した場合には、第１治具１０と第２治具２０の位置ずれが大きくなり、建築用パネルＰからの取り外しが困難となる。特に、第１治具１０のハンドル１５が軸部１２Ａ周りに回動可能であり、第２治具２０のハンドル２５が軸部２２Ａ周りに回動可能となっている場合においては、第１治具１０のハンドル１５と第２治具２０のハンドル２５の位置ずれが顕著となる。
すなわち、交差部３１Ａと交差部３２Ａを設けていない状態の紐３１又は紐３２を上方向又は下方向に引っ張った場合には、第１治具１０のハンドル１５と第２治具２０のハンドル２５が上又は下にずれてしまい、力が分散するため、第１治具１０と第２治具２０を建築用パネルＰから外すのが困難となる。
そのため、上記の場合においては、建築用パネルＰに対して垂直に紐３１と紐３２を引っ張る必要が生じる。この場合には建築用パネルＰから第１治具１０と第２治具２０を同時に取り外すために極めて大きな力を要する上に、第１治具１０と第２治具２０が同時に外れた際に勢いで作業者が後方に倒れる危険性もある。
【００４５】
［その他の実施形態］
本発明は、上記の実施形態に限定されるものではない。例えば、パネル引込治具１では、建築用パネルＰに吸着する部分を永久磁石により構成したが、真空吸着が可能な吸着パッドを用いてもよい。
【００４６】
また、上記の実施形態では、第１治具１０と第２治具２０を連結する線状部材に、紐を用いたが、ゴムチューブ、ワイヤー等を用いてもよい。
【００４７】
また、上記の実施形態では、第１治具１０と第２治具２０とを二本の紐で連結したが、一本の紐で連結するようにしてもよい。
【００４８】
［付記］
本発明の代表的な態様は以下の通りである。
【００４９】
本発明に係るパネル引込治具は、建築用パネルを引き込むためのパネル引込治具であって、第１の治具と、第２の治具と、前記第１の治具と前記第２の治具を連結する線状部材と、を備え、前記第１の治具は、前記建築用パネルに吸着する第１の吸着部と、前記第１の吸着部が取り付けられる第１の取付部と、作業者が把持可能な第１の把持部と、を具備する第１のハンドルと、を有し、前記第２の治具は、前記建築用パネルに吸着する第２の吸着部と、前記第２の吸着部が取り付けられる第２の取付部と、作業者が把持可能な第２の把持部と、を具備する第２のハンドルと、を有し、前記線状部材は、前記第１の把持部に形成された第１の貫通孔と、前記第２の把持部に形成された第２の貫通孔とに共に挿通され、前記第１の治具と前記第２の治具を分離可能に連結することを特徴とする。
上記のパネル引込治具によれば、建築用パネルを複数箇所で吸着しながら引き込むことができるため、引き込み作業を安定させることができる。また、パネル引込治具は、二つに分離可能となっており、治具を１つずつ外すことができるため、建築用パネルからパネル引込治具の取り外し作業を容易とすることができる。
すなわち、上記のパネル引込治具によれば、建築用パネルの引き込み時の安定的な保持と、作業後の建築用パネルからの容易な取り外しを両立させることができる。
【００５０】
上記のパネル引込治具において、前記線状部材は、前記第１の貫通孔と前記第２の貫通孔との間において交差した状態で、端部が結ばれていることとしてよい。
こうすることで、建築用パネルからのパネル引込治具の取り外しのために線状部材を引っ張る際に、第１の治具と第２の治具との位置ずれが規制されるとともに、手前側の治具を持ち上げる力が働く。これにより、建築用パネルからのパネル引込治具の取り外しが容易となる。
【００５１】
上記のパネル引込治具において、前記第１の貫通孔は、前記第１の把持部において、前記第１の取付部に近い側に設けられた第１の内側貫通孔と、前記第１の取付部に遠い側に設けられた第１の外側貫通孔とを含み、前記第２の貫通孔は、前記第２の把持部において、前記第２の取付部に近い側に設けられた第２の内側貫通孔と、前記第２の取付部に遠い側に設けられた第２の外側貫通孔とを含み、前記第１の把持部と前記第２の把持部が重ね合わされた状態で、前記第１の内側貫通孔と前記第２の外側貫通孔が対向する位置にあるとともに、前記第１の外側貫通孔と前記第２の内側貫通孔が対向する位置にあり、前記線状部材は、第１の線状部材と、第２の線状部材とを含み、前記第１の線状部材は、前記第１の内側貫通孔と、前記第２の外側貫通孔とに共に挿通され、前記第１の内側貫通孔と前記第２の外側貫通孔との間において交差した状態で、端部が結ばれており、前記第２の線状部材は、前記第１の外側貫通孔と、前記第２の内側貫通孔とに共に挿通され、前記第１の外側貫通孔と前記第２の内側貫通孔との間において交差した状態で、端部が結ばれていることとしてよい。
こうすることで、第１の線状部材を引っ張ることで第１の治具の建築用パネルへの吸着を弱めることができ、更に第２の線状部材を引っ張ることで第２の治具の建築用パネルへの吸着を弱めることができる。
このように、第１の治具と第２の治具の建築用パネルへの吸着を順に弱めた上で、両者を取り外すことができるため、両者を同時に取り外す場合に比べて、必要な力を軽減できる。これにより、パネル引込治具を建築用パネルから取り外すことが容易となる。
【００５２】
上記のパネル引込治具において、前記第１の取付部は、前記第１の吸着部と前記第１のハンドルを回動可能に接続する第１の軸部を有し、前記第２の取付部は、前記第２の吸着部と前記第２のハンドルを回動可能に接続する第２の軸部を有することとしてよい。
こうすることで、第１の治具と第２の治具のそれぞれを建築用パネルに吸着させた後に、それぞれのハンドルの位置、角度を調整可能となる。これにより、建築用パネルの引き込みの作業性を向上させることができる。
【００５３】
上記のパネル引込治具において、前記第１の吸着部と前記第２の吸着部は共に永久磁石であることとしてよい。
こうすることで、建築用パネルにパネル引込治具を簡単に吸着させることができる。また、引き込み作業による建築用パネルの損傷を回避できる。
【００５４】
上記のパネル引込治具において、前記建築用パネルに前記第１の吸着部と前記第２の吸着部が共に吸着した状態において、前記第１の把持部の下面と、前記第２の把持部の上面が当接することとしてよい。
こうすることで、第１の治具と第２の治具がそれぞれ建築用パネルに吸着した状態において、第１の治具の第１の把持部と、第２の治具の第２の把持部とを同時に掴みやすくなり、引き込み作業の作業性を向上できる。
【符号の説明】
【００５５】
Ｐ  建築用パネル
１  パネル引込治具
１０  第１治具
１１  磁石（第１の吸着部）
１２  取付部（第１の取付部）
１２Ａ  軸部（第１の軸部）
１２Ｂ  締結具
１３  把持部（第１の把持部）
１３Ａ  内側貫通孔（第１の内側貫通孔）
１３Ｂ  外側貫通孔（第１の外側貫通孔）
１４  接続部
１５  ハンドル（第１のハンドル）
２０  第２治具
２１  磁石（第２の吸着部）
２２  取付部（第２の取付部）
２２Ａ  軸部（第２の軸部）
２２Ｂ  締結具
２３  把持部（第２の把持部）
２３Ａ  内側貫通孔（第２の内側貫通孔）
２３Ｂ  外側貫通孔（第２の外側貫通孔）
２４  接続部
２５  ハンドル（第２のハンドル）
３１  紐（第１の線状部材）
３１Ａ  交差部
３１Ｂ  結び目
３２  紐（第２の線状部材）
３２Ａ  交差部
３２Ｂ  結び目
【図１】
2018053688.tif 000003
【図２】
2018053688.tif 000004
【図３】
2018053688.tif 000005
【図４】
2018053688.tif 000006
【図５】
2018053688.tif 000007
【図６】
2018053688.tif 000008
【図７】
2018053688.tif 000009
【図８】
2018053688.tif 000010
【図９】
2018053688.tif 000011
【図１０】
2018053688.tif 000012
【図１１】
2018053688.tif 000013
【図１２】
2018053688.tif 000014